(57)【要約】      （修正有）【課題】筐体をカーテンレールに取り付ける際に落下を防止できる取り付け具を提供する。【解決手段】筐体３を保持する取り付け具Ｃの上面に複数の突片２７、２７’を一列に設ける。その一列に設けた突片２７、２７’を２つの組に分けて、一方を固定し他方をバネによって付勢される摺動板２４に設ける。一方の組の突片２７と他方の組の突片２７’を一列にして、カーテンレール２３の溝２５に嵌入し他方の組の突片２７’を解放すると、解放された突片２７’はバネに付勢されて幅方向へ移動しカーテンレール２３の溝２５の縁に係合する。すると、押された一方の組の突片２７も対向する溝２５の縁と係合して取り付け具Ｃを保持する。このように、ワンタッチで取り付けが出来るので、筐体３を落下させることはない。【選択図】図５
2005294431.tif 000002
【特許請求の範囲】
【請求項１】
電子機器の筐体を保持するホルダーの上面に、カーテンレールの溝に係合する複数の突片を長さ方向に沿って一列に設け、その一列に設けた突片を２つの組に分けて、一方の組を固定し、他方の組をバネによって付勢されて幅方向に移動するようにした筐体のカーテンレールへの取り付け具。
【請求項２】
上記固定した突片の一方の組を、バネによって付勢されて他方の組の突片と逆方向へ移動するようにした請求項１に記載の筐体のカーテンレールへの取り付け具。
【請求項３】
電子機器の筐体を保持するホルダーの下面に、挟持用の突起と、ネジ止め用の突起を幅方向に対向させて設け、そのネジ止め用の突起に挟持板をネジ止めしておいて、ネジ止めしておいた挟持板と挟持用の突起とでカーテンレールを挟持できるようにした筐体のカーテンレールへの取り付け具。
【発明の詳細な説明】
【技術分野】
【０００１】
この発明は、電子機器の筐体をカーテンレールに取り付ける筐体のカーテンレールへの取り付け具に関するものである。
【背景技術】
【０００２】
比較的小型のモデム、ルータ、ハブなどの電子機器を設置しなければならないとき、その設置場所に困るときがある。
【０００３】
このような問題を解決する一つの方法として、（例えば特許文献１）に示すような壁掛け金具を用いる方法が行われていた。
【０００４】
この方法は、概ね、次のようなものである。すなわち、図９（ａ）に示すように、係合片１を設けた壁面用の金具Ａと、その金具Ａの係合片１と係合するホルダー部２を設けた金具Ｂとを準備して、前記金具Ｂを電子機器の筐体３に取り付け、金具Ａを壁面にネジ止めする。こうすることで、図９（ｂ）のように、壁面に取り付けた金具Ａの係合片１に、金具Ｂのホルダー部２を係止させれば、ワンタッチで壁面に電子機器を取り付けられるというものである。
【０００５】
ところが、このような壁掛け金具を用いる方法では、ネジ止めするので壁面を傷つけるという問題がある。
【０００６】
そのため、図１０（ａ）、（ｂ）に示すように、カーテンレール２３に取り付ける方法を考えた。
【０００７】
この方法では、図１０（ａ）、（ｂ）に示すように、筐体３を保持するホルダー１０に２つの金具Ａ、Ｂを設けて、その金具Ａ、ＢをネジＳで締め上げることにより、カーテンレール２３を挟持して筐体を吊り下げる。
【特許文献１】特開２００２−１５８４５６号公報
【発明の開示】
【発明が解決しようとする課題】
【０００８】
しかしながら、上記の２つの金具を用いる方法では、現場で２つの金具を締め上げて設置するため、締め上げるまでに時間がかかり、その間に手が滑ると（筐体を吊り下げる方式のため）落下させてしまう危険がある。そのため、注意をしなければならない問題がある。
【０００９】
また、２つの金具で締め上げて一点で吊り下げる方式のため、風などでぐらついて不安定になる問題もある。
【００１０】
そこで、この発明の課題は、カーテンレールに取り付ける際に落下を防止し、取り付け後は安定させるようにすることである。
【課題を解決するための手段】
【００１１】
上記の課題を解決するため、この発明では、電子機器の筐体を保持するホルダーの上面に、カーテンレールの溝に係合する複数の突片を長さ方向に沿って一列に設け、その一列に設けた突片を２つの組に分けて、一方の組を固定し、他方の組をバネによって付勢されて幅方向に移動するようにした構成を採用したのである。
【００１２】
このような構成を採用することにより、一方の組の突片と他方の組の突片を一列にして、カーテンレールの溝に嵌入し他方の組の突片を解放すると、解放された突片はバネに付勢されて幅方向へ移動しカーテンレールの溝の縁に係合する。すると、押された一方の組の突片も対向する溝の縁と係合してホルダーを保持する。このように、ワンタッチで取り付けが出来るので、筐体を落下させることはない。また、このとき、ホルダーは、複数の突片が溝に係合して支持するので、取り付け後も安定して保持できる。
【００１３】
このとき、上記固定した突片の一方の組を、バネによって付勢されて他方の組の突片と逆方向へ移動するようにした構成を採用することができる。
【００１４】
このような構成を採用することにより、両組の突片をバネで付勢して溝に係合させているので強い係合力を得ることができ、保持力を増加できる。
【００１５】
また、電子機器の筐体を保持するホルダーの下面に、挟持用の突起と、ネジ止め用の突起を幅方向に対向させて設け、そのネジ止め用の突起に挟持板をネジ止めしておいて、ネジ止めしておいた挟持板と挟持用の突起とでカーテンレールを挟持できるようにした構成を採用することができる。
【００１６】
このような構成を採用することにより、筐体をカーテンレールの上に保持できるので、取り付け時の落下の危険性を減少できる。また、筐体は、カーテンレールに載置した状態となるので（吊り下げのような不安定な状態ではなく）、取り付け後も安定した状態を保つことができる。
【発明の効果】
【００１７】
この発明は、以上のように構成したことにより、壁面を傷つけずに筐体を設置することができる。また、あらゆる電気機器の筐体取り付けに応用できる。さらに、本体側に特殊な機構が無く、一般的な工具なしで設置できる。また、本体に傷を付け無いし、取り付け後の美観も損なわない。
【発明を実施するための最良の形態】
【００１８】
以下、この発明の最良の形態を図面に基づいて説明する。
【００１９】
この形態の取り付け具Ｃは、図１に示すように、上面１０、背面１１、下面１２で構成されるＣ形断面を有する金具で、側部のストッパー１３に当接するまで、矢印のように横方向へスライドさせることにより、無線ルータなどの角張った筐体３を図２のように保持できるようにしている。
【００２０】
そのため、前記取り付け具Ｃは、Ｃ形断面の開口１４の端部を折曲した係止部１５の先に図１に示すような突起１６を設け、その突起１６に弾性体で形成したキャップ１７を取り付けている。
【００２１】
すなわち、ここでは、Ｃ形断面の開口１４の上方の端部に、下方に向けた突起１６を２個並列に間隔をおいて形成し、下方の端部に上方に向けた２個の突起１６を並列に間隔を置いて形成して、その突起１６に、弾性体であるゴムを用いた厚みのあるキャップ１７を被せることにより、筐体３や筐体３内の回路を傷つけずに圧接できるようにしている。
【００２２】
また、図３に示すように、取り付け具Ｃの背面１１に複数の係止片１８を設けて、壁面や柱に取り付けられるようにしてある。前記係止片１８は、４個のＬ形の係止片１８からなるもので、Ｌ形の垂直部分を背面１１と並行になるように開口を外側にして（時計の１２時方向から）９０°間隔で放射状に設けてある。また、その１２時方向に設けた係止片１８の垂直部分に吊り下げ用の貫通孔１９を設けている。この貫通孔１９は、円形の貫通孔に細い長孔を連通させたオタマジャクシ様のもので、円形の貫通孔に壁面などに取り付けたネジの頭を挿通したのち、ネジ軸を長孔に挿通すれば抜け落ちを防止して取り付けられるようにしてある。
【００２３】
加えて、各係止片１８には、ネジ止め用の孔２０を設けて壁面に直接ネジ止めできるようにもしてある。このため、背面１１を切り欠いて各係止片１８を形成し、ネジ止めのための切欠２１を設けて木ネジやドライバーを挿通できるようにしてある。
【００２４】
また、このＬ形の係止片１８は、壁面や柱の固定用に使用するばかりでなく、ケーブル２２などの線材のホルダーとしても使用するためのものである。
【００２５】
すなわち、図３のように、例えば余分なケーブル２２を巻回すれば、垂れ下がったケーブル２２の重みが直接筐体３に掛かることを軽減できるので、この重みによる「がたつき」を防止して固定できる。
【００２６】
なお、この形態では、係止片１８を４個としたが、これに限定されるものではなく、取り付けが安定にでき、かつ、ケーブル２２を巻き付けられるのであれば、その個数は適宜決めることができる。
【００２７】
さらに、この取り付け具Ｃには、図４に示すように、カーテンレール２３を利用して住宅などを傷つけずに、かつ、美観を損なわずに取り付けるための機構を上面１０と下面１２に設けてある。
【００２８】
前記上面１０の機構は、摺動板２４を上面１０の内（下）側に嵌める構造で、装飾レールと機能レールの２種類に分類される内の機能レールと言われるカーテンレール２３のランナーを嵌めた溝２５に図５のように、係合させて吊り下げるようにしたものである。
【００２９】
すなわち、この形態では、前記上面１０に、一列に５個の窓２６を設け、その５個の窓２６の内側の２個に外向きに折り曲げた略Ｌ形の突片（一方の組（固定側））２７を設けてある。そして、その両端とその内側の窓（突片２７を設けた窓２６）２６との間に（図４では突起１６が形成された部分に）、前後方向に伸びる長孔２８を設けている。さらに、その長孔２８と突起１６の間に孔２９を設けて、バネ（スプリング）３０の一端を掛けるようにしている。また、長孔２８と内側の窓２６との間にネジ溝を切ったネジ孔３１を設けてある。
【００３０】
一方、摺動板２４は、両端にゴム製のカバー３２を取り付けたレバー部３３を設けた上面１０よりも長くて細い図４のような板で、上面１０の３個の窓２６（突片２７の無）と対応する３箇所に切欠２６を設けて、外向きに折り曲げた略Ｌ形の突片（他方の組（移動側））２７’を設けてある。この突片２７’は、上面１０の突片２７と逆向きとなるように図４では手前側に折り曲げてある。また、上面１０の長孔２８と対応する位置に半円状の切欠３４を設けて、その切欠３４に先のバネ３０を嵌入して、図６に示すように、嵌入したバネ３０の他端を切欠３４の先端の先に設けた孔３５に止めるようにしている。さらに、その横に長孔３６を設けて上面１０の内側に取り付けた際に、上面１０のネジ孔３１と合致するようにしてある。
【００３１】
そして、図６のように、上面１０の窓２６から摺動板２４の突片２７’が覗くように摺動板２４を上面１０の内（下）側に配置して、上面１０のネジ孔３１に摺動板２４の長孔２８を介してネジ３７で止める。このとき、ネジ３７は、摺動板２４が軽く動く程度に締めておく。そして、上面１０の長孔２８と摺動板２４の孔３５とにバネ３０を掛ける。こうすると、バネ３０でもって付勢された摺動板２４は図６の矢印の方向へ引っ張られるので、摺動板２４の突片２７’は、上面１０の窓２６に当接した状態で止まる。
【００３２】
このため、カーテンレール２３に取り付ける際は、レバー部３３を押して摺動板２４を矢印と逆の方向へ動かし、摺動板２４と上面１０の突片２７を揃えてカーテンレール２３の溝２５に嵌めたのち、レバー部３３を解放する。すると、摺動板２４がバネ３０によって矢印の方向に引っ張られ、カーテンレール２３の溝２５に突片２７’が係合して止まり、ワンタッチで取り付けが完了する。取り外す場合は、先と逆の手順でワンタッチで簡単に取り外すことができる。
【００３３】
このように突片２７’が移動してカーテンレール２３の溝２５に係合する仕組みなので、取り付けられるカーテンレール２３の寸法は、カーテンレール２３の溝２５よりも上面１０に形成される窓２６が大きければ取り付けることができる。
【００３４】
次に、下面１２の機構は、筐体３をカーテンレール（装飾、機能レール共）２３の上部に載置できるようにしたもので、図５のように、カーテンレール２３に挟持板３８を圧着する構造となっている。
【００３５】
すなわち、図５のように、下面１２の前後にネジ止め用の突起４０と挟持用の突起３９を対向させて設け、そのネジ止め用の突起４０に挟持板３８をネジ止めするようにしている。
【００３６】
前記挟持用の突起３９は、下面１２の後縁（背面１１側）に間隔を置いて形成された２個の突起３９で、その２個の突起３９に、ゴムなどの弾性体で形成した厚みのあるキャップ４１を取り付けている。
【００３７】
また、ネジ止め用の突起４０は、図４のように、前記挟持用の突起３９の間に位置するように前記下面１２の前縁に設けている。そのネジ止め用の突起４０の中央にはネジ溝の切られたネジ孔を形成して挟持板３８をネジ止めできるようにしている。
【００３８】
挟持板３８は、図４のように中央に段を設けて高くしたもので、高くした中央に貫通孔４７を設けてネジの軸を挿通できるようにしてある。また、挟持板３８の左右には弾性体で形成した厚みのあるキャップ４１（挟持用の突起３９と同じもの）を取り付けてネジ止めするときに挟持用の突起３９と対向するようにしている。このとき、ネジ止め用の突起４０にガイド用の溝４３を設け、挟持板３８に突部４４を設けて取り付け位置がずれないようにしている。また、ネジ止め用の突起４０に挟持板３８をネジ止めする際に、スプリング４５を介在させて取り付けることにより、ネジの緩みを防止するようにしている。
【００３９】
なお、このように挟持板３８に段を設けた構造としたことにより、段の大きさ（高さ）を変えると、対向する挟持用の突起３９との距離を調節できるので、段の大きさの異なる挟持板を準備すれば、大きさの異なるカーテンレール２３にも対処できる。
【００４０】
また、図中符号４６のネジは、筐体３の抜け止めのためのもので、符号４７のネジ孔に取り付ける。こうすることで、筐体３の抜け落ちをネジ４６が邪魔をして防止することができる。
【００４１】
この形態は上記のように構成されており、この取り付け具Ｃを使ってカーテンレール２２に吊り下げる場合は、まず、筐体３をスライドさせて横から挿入して取り付ける（これに限定されることはなく、筐体３を後で取り付けても可）と、挿入した筐体３には突起１６の厚みのあるキャップ１７が圧接し「がたつき」を防止して固定する。このとき、カーテンレール２２は比較的高い位置にあるので、ネジ４６を取り付けて抜け落ちを防止する方が危険を回避できて好ましい。
【００４２】
このように、筐体３を取り付けた取り付け具Ｃは、レバー部３３を押して、摺動板２４を図６の矢印と逆の方向へ動かし、摺動板２４と上面１０の突片２７を揃えてカーテンレール２３の溝２５に嵌めたのち、レバー部３３を離す。すると、摺動板２５がバネ３０によって矢印の方向に引っ張られ、カーテンレール２３の溝２５に突片２７が係止して止まり、図７（ａ）のように取り付けがワンタッチで完了する。そのため、筐体の落下などの危険は少ない。また、取り付け後は、複数の突片２７、２７’で係合しているので筐体３を安定して保持できる。
【００４３】
あとは、ケーブル２２などを接続して、その際、余分なケーブルを係止片１８に巻き付ければ、筐体３にかかる垂れ下がった余分なケーブル２２の重みを軽減できるので、「がたつき」を防止して固定できる。
【００４４】
一方、取り付け具Ｃを使ってカーテンレール２３の上部に取り付ける場合は、先の場合と同様に、まず、筐体３を横にスライドさせて横から取り付け具Ｃに挿入して取り付ける。同時に抜け止め用のネジ４６も取り付けておく（高い位置に取り付けるのでこの方が好ましい）。このように筐体３の取り付けられた取り付け具Ｃは、下面１２のネジ止め用の突起４０の止めネジを緩めて挟持板３８を動かし、対向する挟持用の突起３９との距離を大きくする。そして、挟持板３８と挟持用の突起３９との間にカーテンレール２２を挟んだのち、ネジを締めて挟持板３８と挟持用の突起３９とでカーテンレール２２を圧接して固定する。すると、図７（ｂ）のように取り付けることができる。このように、カーテンレール２３に載置して取り付けるので、落下の危険は無い。また、取り付け後は、カーテンレール２３に載置した状態なので安定して保持できる。
【００４５】
取り付けができると、ケーブル２２などを接続する。このとき、余分なケーブル２２は係止片１８に巻き付ければ、余分なケーブルの筐体３にかかる重みを軽減できるので、「がたつき」を防止して固定できる。
【００４６】
なお、本形態では、取り付け具Ｃを金具としたが、これに限定されるものではなく、強度さえ十分なら樹脂などを用いたものでも良い。また、取り付け具ＣのＣ形断面は、上面１０、背面１１、下面１２に分かれたものでなくとも一体のものでもよい。
【００４７】
また、この形態では、Ｃ形断面の上下の開口端に２個づづの突起を設けるようにしたが、これに限定されるものではない。筐体３を固定できる形状であれば突起１６の数は限定されるものではない。
【００４８】
図８に、取り付け具Ｃの上面の突片（両方の突片）２７、２７’がバネ３０、３０’によって逆方向（幅方向）へ付勢されるものを示す。
【００４９】
ここでは、摺動板２４’をもう一つ設けて突片２７’を形成し、バネ３０’で付勢するようにしている。他の構成は、先のものと同じなので説明は省略する。
【００５０】
このように両組の突片２７、２７’がバネ３０、３０’によって付勢されて逆方向（幅方向）へ動くことにより、カーテンレール２３の溝２５との係合力が増加するので、より一層の落下防止と安定した保持力を得ることができる。
【産業上の利用可能性】
【００５１】
このように、機構が非常にシンプルで操作も簡単であり、ドライバーなどの工具がなくても簡単に誰でも筐体を固定できるので、例えば、業務用ばかりでなく、民生用の機器（ＡＶ機器を始めとして家庭内ネット機器）などの取り付け具としても適用できる。
【図面の簡単な説明】
【００５２】
【図１】実施形態の斜視図
【図２】実施形態の正面図
【図３】実施形態の背面図
【図４】実施形態の分解斜視図
【図５】実施形態の断面図
【図６】実施形態の作用説明図
【図７】（ａ）、（ｂ）実施形態の作用説明図
【図８】他の態様を示す平面図
【図９】（ａ）、（ｂ）従来例の作用説明図
【図１０】（ａ）従来例の正面図、（ｂ）従来例の断面図
【符号の説明】
【００５３】
３  筐体
１６  突起
１７  キャップ
１８  係止片
１９  貫通孔
２０  ネジ止め用の孔
２１  切欠
２３  カーテンレール
２５  溝
２７、２７’  突片
３０、３０’  バネ
３８  挟持板
３９  挟持用の突起
４０  ネジ止め用の突起
【図１】
2005294431.tif 000003
【図２】
2005294431.tif 000004
【図３】
2005294431.tif 000005
【図４】
2005294431.tif 000006
【図５】
2005294431.tif 000007
【図６】
2005294431.tif 000008
【図７】
2005294431.tif 000009
【図８】
2005294431.tif 000010
【図９】
2005294431.tif 000011
【図１０】
2005294431.tif 000012